(57)【要約】【課題】光束の有効利用効率が高い面状光源装置が組み込まれたカラー液晶表示装置組立体を提供する。【解決手段】フロント・パネル、リア・パネル７０及び液晶材料から成る透過型のカラー液晶表示装置１０Ａ、並びに、リア・パネル７０に対向して配置され、カラー液晶表示装置１０Ａをリア・パネル側から照射する光源を有する面状光源装置２０Ａを備えたカラー液晶表示装置組立体において、光源２１は、第１原色、第２原色及び第３原色から構成された光の三原色の内の第１原色に相当する第１原色光（例えば、青色）を射出し、面状光源装置２０Ａと対向したリア・パネル７０の部分には、光源２１から射出されたエネルギー線（第１原色光）によって励起されて第２原色光（緑色）を発光する第２原色発光層３０Ｇ並びに第３原色光（赤色）を発光する第３原色発光層３０Ｒが形成されている。【選択図】  図１
2007004099.tif 000002
【特許請求の範囲】
【請求項１】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）リア・パネルに対向して配置され、カラー液晶表示装置をリア・パネル側から照射する光源を有する面状光源装置、
を備えたカラー液晶表示装置組立体であって、
光源は、第１原色、第２原色及び第３原色から構成された光の三原色の内の第１原色に相当する第１原色光を射出し、
面状光源装置と対向したリア・パネルの部分には、
（Ａ）カラー液晶表示装置の第２原色に相当する第２原色光を発光するサブピクセルに対応した領域上に形成され、第２原色光を発光する第２原色発光粒子から成り、光源から射出されたエネルギー線によって励起されて第２原色光を発光する第２原色発光層、並びに、
（Ｂ）カラー液晶表示装置の第３原色に相当する第３原色光を発光するサブピクセルに対応した領域上に形成され、第３原色光を発光する第３原色発光粒子から成り、光源から射出されたエネルギー線によって励起されて第３原色光を発光する第３原色発光層、
が形成されていることを特徴とするカラー液晶表示装置組立体。
【請求項２】
第２原色発光層及び第３原色発光層は、面状光源装置と対向したリア・パネルの部分に形成される代わりに、フロント・パネルに形成されていることを特徴とする請求項１に記載のカラー液晶表示装置組立体。
【請求項３】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）カラー液晶表示装置をリア・パネル側から照射する面状光源装置、
を備えたカラー液晶表示装置組立体であって、
面状光源装置は、
（Ａ）リア・パネルに対向して配置され、第１原色、第２原色及び第３原色から構成された光の三原色の内の第１原色に相当する第１原色光を射出する光源、
（Ｂ）リア・パネルと光源との間に配置された支持部材、
（Ｃ）カラー液晶表示装置の第２原色に相当する第２原色光を発光するサブピクセルに対応した支持部材の領域上に形成され、第２原色光を発光する第２原色発光粒子から成り、光源から射出されたエネルギー線によって励起されて第２原色光を発光する第２原色発光層、並びに、
（Ｄ）カラー液晶表示装置の第３原色に相当する第３原色光を発光するサブピクセルに対応した支持部材の領域上に形成され、第３原色光を発光する第３原色発光粒子から成り、光源から射出されたエネルギー線によって励起されて第３原色光を発光する第３原色発光層、
を具備することを特徴とするカラー液晶表示装置組立体。
【請求項４】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）導光板及び光源から成り、カラー液晶表示装置をリア・パネル側から照射する面状光源装置、
を備えたカラー液晶表示装置組立体であって、
光源は、第１原色、第２原色及び第３原色から構成された光の三原色の内の第１原色に相当する第１原色光を射出し、導光板の側面から導光板に入射させ、
面状光源装置と対向したリア・パネルの部分には、
（Ａ）カラー液晶表示装置の第２原色に相当する第２原色光を発光するサブピクセルに対応した領域上に形成され、第２原色光を発光する第２原色発光粒子から成り、光源から射出されたエネルギー線によって励起されて第２原色光を発光する第２原色発光層、並びに、
（Ｂ）カラー液晶表示装置の第３原色に相当する第３原色光を発光するサブピクセルに対応した領域上に形成され、第３原色光を発光する第３原色発光粒子から成り、光源から射出されたエネルギー線によって励起されて第３原色光を発光する第３原色発光層、
が形成されていることを特徴とするカラー液晶表示装置組立体。
【請求項５】
第２原色発光層及び第３原色発光層は、面状光源装置と対向したリア・パネルの部分に形成される代わりに、フロント・パネルに形成されていることを特徴とする請求項４に記載のカラー液晶表示装置組立体。
【請求項６】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）カラー液晶表示装置をリア・パネル側から照射する面状光源装置、
を備えたカラー液晶表示装置組立体であって、
面状光源装置は、
（Ａ）導光板、
（Ｂ）第１原色、第２原色及び第３原色から構成された光の三原色の内の第１原色に相当する第１原色光を射出し、導光板の側面から導光板に入射させる光源、
（Ｃ）カラー液晶表示装置の第２原色に相当する第２原色光を発光するサブピクセルに対応してリア・パネルに対向した導光板の領域上に形成され、第２原色光を発光する第２原色発光粒子から成り、光源から射出されたエネルギー線によって励起されて第２原色光を発光する第２原色発光層、並びに、
（Ｄ）カラー液晶表示装置の第３原色に相当する第３原色光を発光するサブピクセルに対応してリア・パネルに対向した導光板の領域上に形成され、第３原色光を発光する第３原色発光粒子から成り、光源から射出されたエネルギー線によって励起されて第３原色光を発光する第３原色発光層、
を具備することを特徴とするカラー液晶表示装置組立体。
【請求項７】
フロント・パネルは、更に、カラーフィルターを備えていることを特徴とする請求項１乃至請求項６のいずれか１項に記載のカラー液晶表示装置組立体。
【請求項８】
光源は、第１原色光としての青色の光を射出する発光ダイオードから成り、
第２原色及び第３原色は、それぞれ、緑色及び赤色であり、
第２原色発光層及び第３原色発光層を構成する第２原色発光粒子及び第３原色発光粒子を励起する光源から射出されたエネルギー線は、前記青色の光であることを特徴とする請求項１乃至請求項６のいずれか１項に記載のカラー液晶表示装置組立体。
【請求項９】
光源は、第１原色光としての青色の光を射出する発光ダイオードから成り、
第２原色及び第３原色は、それぞれ、緑色及び赤色であり、
第２原色発光層及び第３原色発光層を構成する第２原色発光粒子及び第３原色発光粒子を励起する光源から射出されたエネルギー線は、紫外線であることを特徴とする請求項１乃至請求項６のいずれか１項に記載のカラー液晶表示装置組立体。
【請求項１０】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置をリア・パネル側から照射する面状光源装置であって、
（Ａ）リア・パネルに対向して配置され、第１原色、第２原色及び第３原色から構成された光の三原色の内の第１原色に相当する第１原色光を射出する光源、
（Ｂ）リア・パネルと光源との間に配置された支持部材、
（Ｃ）カラー液晶表示装置の第２原色に相当する第２原色光を発光するサブピクセルに対応した支持部材の領域上に形成され、第２原色光を発光する第２原色発光粒子から成り、光源から射出されたエネルギー線によって励起されて第２原色光を発光する第２原色発光層、並びに、
（Ｄ）カラー液晶表示装置の第３原色に相当する第３原色光を発光するサブピクセルに対応した支持部材の領域上に形成され、第３原色光を発光する第３原色発光粒子から成り、光源から射出されたエネルギー線によって励起されて第３原色光を発光する第３原色発光層、
を具備することを特徴とする面状光源装置。
【請求項１１】
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置をリア・パネル側から照射する面状光源装置であって、
（Ａ）導光板、
（Ｂ）第１原色、第２原色及び第３原色から構成された光の三原色の内の第１原色に相当する第１原色光を射出し、導光板の側面から導光板に入射させる光源、
（Ｃ）カラー液晶表示装置の第２原色に相当する第２原色光を発光するサブピクセルに対応してリア・パネルに対向した導光板の領域上に形成され、第２原色光を発光する第２原色発光粒子から成り、光源から射出されたエネルギー線によって励起されて第２原色光を発光する第２原色発光層、並びに、
（Ｄ）カラー液晶表示装置の第３原色に相当する第３原色光を発光するサブピクセルに対応してリア・パネルに対向した導光板の領域上に形成され、第３原色光を発光する第３原色発光粒子から成り、光源から射出されたエネルギー線によって励起されて第３原色光を発光する第３原色発光層、
を具備することを特徴とする面状光源装置。
【請求項１２】
光源は、第１原色光としての青色の光を射出する発光ダイオードから成り、
第２原色及び第３原色は、それぞれ、緑色及び赤色であり、
第２原色発光層及び第３原色発光層を構成する第２原色発光粒子及び第３原色発光粒子を励起する光源から射出されたエネルギー線は、前記青色の光であることを特徴とする請求項１０又は請求項１１に記載の面状光源装置。
【請求項１３】
光源は、第１原色光としての青色の光を射出する発光ダイオードから成り、
第２原色及び第３原色は、それぞれ、緑色及び赤色であり、
第２原色発光層及び第３原色発光層を構成する第２原色発光粒子及び第３原色発光粒子を励起する光源から射出されたエネルギー線は、紫外線であることを特徴とする請求項１０又は請求項１１に記載の面状光源装置。
【発明の詳細な説明】
【技術分野】
【０００１】
本発明は、面状光源装置及びカラー液晶表示装置組立体に関する。
【背景技術】
【０００２】
カラー液晶表示装置組立体として、透明電極、配向膜等が積層された透明なガラス基板が対向するように重ね合わされた２枚のパネルの間に液晶材料が挟まれたカラー液晶表示装置と、このカラー液晶表示装置の下方に配置され、カラー液晶表示装置に照明光を供給する面状光源装置等とから構成されたカラー液晶表示装置組立体が周知である。
【０００３】
面状光源装置として、２種類の面状光源装置（バックライト）、即ち、例えば実開昭６３−１８７１２０や特開２００２−２７７８７０に開示された直下型の面状光源装置、並びに、例えば特開２００２−１３１５５２に開示されたエッジライト型（サイドライト型とも呼ばれる）の面状光源装置が周知である。直下型の面状光源装置は、図９の（Ａ）に概念図を示すように、筐体１２３内に配置された光源１２１と、光源１２１の下方に位置する筐体の部分に配置され、光源１２１からの射出光を上方に反射する反射部材１２４と、光源１２１の上方に位置する筐体開口部に取り付けられ、光源１２１からの射出光及び反射部材１２４からの反射光を拡散させながら通過させる拡散板１２２とから構成されている。一方、エッジライト型の面状光源装置は、図９の（Ｂ）に概念図を示すように、導光板１５０と、導光板１５０の側面に配置されたランプから成る光源１４１から構成されている。尚、導光板の下方には、反射部材１４２が配置されており、導光板の上方には拡散シート１４３及びプリズムシート１４４が配置されている。
【０００４】
光源は、例えば、内径２．４ｍｍの冷陰極線型の蛍光ランプから成り、白色光を射出する。より具体的には、冷陰極線型の蛍光ランプにおいては、内部に、ネオンガスやアルゴン等の混合希ガスが封入され、あるいは又、水銀が拡散封入されている。そして、グロー放電に起因して励起された混合希ガスあるいは水銀原子からの紫外線が、蛍光ランプを構成するガラス管の内面に塗布された赤色発光蛍光体粒子、緑色発光蛍光体粒子及び青色発光蛍光体粒子を励起し、これらの蛍光体粒子からの発光色によって白色を得ている。
【０００５】
【特許文献１】実開昭６３−１８７１２０
【特許文献２】特開２００２−２７７８７０
【特許文献３】特開２００２−１３１５５２
【発明の開示】
【発明が解決しようとする課題】
【０００６】
ところで、直下型の面状光源装置にあっては、蛍光ランプから白色光を放射するので、例えば、カラー液晶表示装置において赤色を表示する場合、白色光をカラーフィルターを通過させて白色光から赤色を取り出すといった処理を行い、蛍光ランプから放射された白色光を構成する緑色及び青色を、一種、廃棄している。従って、蛍光ランプから放射される光束の有効利用効率（蛍光ランプから放射される光束のうち、カラー液晶表示装置に導かれ、カラー液晶表示装置から射出される光の割合）が低く、光束の有効利用効率を一層高くすることが望まれている。
【０００７】
従って、本発明の目的は、光束の有効利用効率が高い面状光源装置（バックライト）、及び、係る面状光源装置が組み込まれたカラー液晶表示装置組立体を提供することにある。
【課題を解決するための手段】
【０００８】
上記の目的を達成するための本発明の第１の態様に係るカラー液晶表示装置組立体は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）リア・パネルに対向して配置され、カラー液晶表示装置をリア・パネル側から照射する光源を有する面状光源装置（より具体的には、直下型の面状光源装置）、
を備えたカラー液晶表示装置組立体であって、
光源は、第１原色、第２原色及び第３原色から構成された光の三原色の内の第１原色に相当する第１原色光を射出し、
面状光源装置と対向したリア・パネルの部分には、
（Ａ）カラー液晶表示装置の第２原色に相当する第２原色光を発光するサブピクセルに対応した領域上に形成され、第２原色光を発光する第２原色発光粒子から成り、光源から射出されたエネルギー線によって励起されて第２原色光を発光する第２原色発光層、並びに、
（Ｂ）カラー液晶表示装置の第３原色に相当する第３原色光を発光するサブピクセルに対応した領域上に形成され、第３原色光を発光する第３原色発光粒子から成り、光源から射出されたエネルギー線によって励起されて第３原色光を発光する第３原色発光層、
が形成されていることを特徴とする。
【０００９】
上記の目的を達成するための本発明の第２の態様に係るカラー液晶表示装置組立体は、第２原色発光層及び第３原色発光層が、面状光源装置と対向したリア・パネルの部分に形成される代わりに、フロント・パネルに形成されている点を除き、本発明の第１の態様に係るカラー液晶表示装置組立体と同じ構成、構造を有することを特徴とする。
【００１０】
上記の目的を達成するための本発明の第３の態様に係るカラー液晶表示装置組立体は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）カラー液晶表示装置をリア・パネル側から照射する面状光源装置（より具体的には、直下型の面状光源装置）、
を備えたカラー液晶表示装置組立体であって、
面状光源装置は、
（Ａ）リア・パネルに対向して配置され、第１原色、第２原色及び第３原色から構成された光の三原色の内の第１原色に相当する第１原色光を射出する光源、
（Ｂ）リア・パネルと光源との間に配置された支持部材、
（Ｃ）カラー液晶表示装置の第２原色に相当する第２原色光を発光するサブピクセルに対応した支持部材の領域上に形成され、第２原色光を発光する第２原色発光粒子から成り、光源から射出されたエネルギー線によって励起されて第２原色光を発光する第２原色発光層、並びに、
（Ｄ）カラー液晶表示装置の第３原色に相当する第３原色光を発光するサブピクセルに対応した支持部材の領域上に形成され、第３原色光を発光する第３原色発光粒子から成り、光源から射出されたエネルギー線によって励起されて第３原色光を発光する第３原色発光層、
を具備することを特徴とする。
【００１１】
上記の目的を達成するための本発明の第４の態様に係るカラー液晶表示装置組立体は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）導光板及び光源から成り、カラー液晶表示装置をリア・パネル側から照射する面状光源装置（より具体的には、エッジライト型の面状光源装置）、
を備えたカラー液晶表示装置組立体であって、
光源は、第１原色、第２原色及び第３原色から構成された光の三原色の内の第１原色に相当する第１原色光を射出し、導光板の側面から導光板に入射させ、
面状光源装置と対向したリア・パネルの部分には、
（Ａ）カラー液晶表示装置の第２原色に相当する第２原色光を発光するサブピクセルに対応した領域上に形成され、第２原色光を発光する第２原色発光粒子から成り、光源から射出されたエネルギー線によって励起されて第２原色光を発光する第２原色発光層、並びに、
（Ｂ）カラー液晶表示装置の第３原色に相当する第３原色光を発光するサブピクセルに対応した領域上に形成され、第３原色光を発光する第３原色発光粒子から成り、光源から射出されたエネルギー線によって励起されて第３原色光を発光する第３原色発光層、
が形成されていることを特徴とする。
【００１２】
上記の目的を達成するための本発明の第５の態様に係るカラー液晶表示装置組立体は、第２原色発光層及び第３原色発光層が、面状光源装置と対向したリア・パネルの部分に形成される代わりに、フロント・パネルに形成されている点を除き、本発明の第４の態様に係るカラー液晶表示装置組立体と同じ構成、構造を有することを特徴とする。
【００１３】
上記の目的を達成するための本発明の第６の態様に係るカラー液晶表示装置組立体は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置、並びに、
（ｄ）カラー液晶表示装置をリア・パネル側から照射する面状光源装置（より具体的には、エッジライト型の面状光源装置）、
を備えたカラー液晶表示装置組立体であって、
面状光源装置は、
（Ａ）導光板、
（Ｂ）第１原色、第２原色及び第３原色から構成された光の三原色の内の第１原色に相当する第１原色光を射出し、導光板の側面から導光板に入射させる光源、
（Ｃ）カラー液晶表示装置の第２原色に相当する第２原色光を発光するサブピクセルに対応してリア・パネルに対向した導光板の領域上に形成され、第２原色光を発光する第２原色発光粒子から成り、光源から射出されたエネルギー線によって励起されて第２原色光を発光する第２原色発光層、並びに、
（Ｄ）カラー液晶表示装置の第３原色に相当する第３原色光を発光するサブピクセルに対応してリア・パネルに対向した導光板の領域上に形成され、第３原色光を発光する第３原色発光粒子から成り、光源から射出されたエネルギー線によって励起されて第３原色光を発光する第３原色発光層、
を具備することを特徴とする。
【００１４】
上記の目的を達成するための本発明の第１の態様に係る面状光源装置は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置をリア・パネル側から照射する面状光源装置（より具体的には、直下型の面状光源装置）であって、
（Ａ）リア・パネルに対向して配置され、第１原色、第２原色及び第３原色から構成された光の三原色の内の第１原色に相当する第１原色光を射出する光源、
（Ｂ）リア・パネルと光源との間に配置された支持部材、
（Ｃ）カラー液晶表示装置の第２原色に相当する第２原色光を発光するサブピクセルに対応した支持部材の領域上に形成され、第２原色光を発光する第２原色発光粒子から成り、光源から射出されたエネルギー線によって励起されて第２原色光を発光する第２原色発光層、並びに、
（Ｄ）カラー液晶表示装置の第３原色に相当する第３原色光を発光するサブピクセルに対応した支持部材の領域上に形成され、第３原色光を発光する第３原色発光粒子から成り、光源から射出されたエネルギー線によって励起されて第３原色光を発光する第３原色発光層、
を具備することを特徴とする。
【００１５】
上記の目的を達成するための本発明の第２の態様に係る面状光源装置は、
（ａ）透明第１電極を備えたフロント・パネル、
（ｂ）透明第２電極を備えたリア・パネル、及び、
（ｃ）フロント・パネルとリア・パネルとの間に配された液晶材料、
から成る透過型のカラー液晶表示装置をリア・パネル側から照射する面状光源装置（より具体的には、エッジライト型の面状光源装置）であって、
（Ａ）導光板、
（Ｂ）第１原色、第２原色及び第３原色から構成された光の三原色の内の第１原色に相当する第１原色光を射出し、導光板の側面から導光板に入射させる光源、
（Ｃ）カラー液晶表示装置の第２原色に相当する第２原色光を発光するサブピクセルに対応してリア・パネルに対向した導光板の領域上に形成され、第２原色光を発光する第２原色発光粒子から成り、光源から射出されたエネルギー線によって励起されて第２原色光を発光する第２原色発光層、並びに、
（Ｄ）カラー液晶表示装置の第３原色に相当する第３原色光を発光するサブピクセルに対応してリア・パネルに対向した導光板の領域上に形成され、第３原色光を発光する第３原色発光粒子から成り、光源から射出されたエネルギー線によって励起されて第３原色光を発光する第３原色発光層、
を具備することを特徴とする。
【００１６】
本発明の第１の態様〜第６の態様に係るカラー液晶表示装置組立体（以下、これらを総称して、本発明のカラー液晶表示装置組立体と呼ぶ場合がある）にあっては、フロント・パネルには、更に、カラーフィルターが備えられている構成とすることもできる。尚、カラーフィルターは、リア・パネルに備えられていてもよい。このように、カラーフィルターを備えることで、カラー液晶表示装置における色純度を、一層向上させることができる。尚、本発明の第２の態様あるいは第５の態様に係るカラー液晶表示装置組立体にあっては、フロント・パネルに形成された第２原色発光層及び第３原色発光層は、カラーフィルターによって覆われており、あるいは又、カラーフィルターよりも液晶材料側に位置していることが望ましい。
【００１７】
カラーフィルターは、一般に、着色パターン間の隙間を遮光するためのブラック・マトリックス（例えば、クロムから成る）と、各画素に対向した赤色、緑色、青色の着色層から構成されており、染色法、顔料分散法、印刷法、電着法等によって作製される。着色層は、例えば、樹脂材料から成り、あるいは又、顔料で着色されている。着色層の画素パターンとして、デルタ配列、ストライプ配列、ダイアゴナル配列、レクタングル配列を挙げることができる。
【００１８】
上記の好ましい形態を含む本発明の第１の態様〜第６の態様に係るカラー液晶表示装置組立体にあっては、また、本発明の第１の態様〜第２の態様に係る面状光源装置にあっては、限定するものではないが、
光源は、第１原色光としての青色の光を射出する発光ダイオード（ＬＥＤ）から成り、
第２原色及び第３原色は、それぞれ、緑色及び赤色であり、
第２原色発光層及び第３原色発光層を構成する第２原色発光粒子及び第３原色発光粒子を励起する光源から射出されたエネルギー線は、前記青色の光である構成あるいは紫外線である構成とすることができる。
【００１９】
尚、発光ダイオード（ＬＥＤ）の数は本質的に任意であり、面状光源装置に要求される仕様に基づき決定すればよい。また、発光ダイオードの代わりに、第１原色光としての青色の光を射出する蛍光ランプあるいは半導体レーザを採用してもよく、この場合、蛍光ランプあるいは半導体レーザの数も本質的に任意であり、面状光源装置に要求される仕様に基づき決定すればよい。
【００２０】
以上に説明した各種の好ましい形態を含む本発明の第１の態様〜第６の態様に係るカラー液晶表示装置組立体、本発明の第１の態様〜第２の態様に係る面状光源装置（以下、これらを総称して、単に、本発明と呼ぶ場合がある）において、第２原色発光粒子あるいは第３原色発光粒子を赤色発光粒子とする場合、赤色発光粒子は赤色発光蛍光体粒子から成り、第２原色発光粒子あるいは第３原色発光粒子を緑色発光粒子とする場合、緑色発光粒子は緑色発光蛍光体粒子から成り、第２原色発光粒子あるいは第３原色発光粒子を青色発光粒子とする場合、青色発光粒子は青色発光蛍光体粒子から成る構成とすることができる。ここで、赤色発光蛍光体粒子を構成する材料として、Ｙ2Ｏ3：Ｅｕ、ＹＶＯ4：Ｅｕ、Ｙ（Ｐ，Ｖ）Ｏ4：Ｅｕ、３．５ＭｇＯ・０．５ＭｇＦ2・Ｇｅ2：Ｍｎ、ＣａＳｉＯ3：Ｐｂ，Ｍｎ、Ｍｇ6ＡｓＯ11：Ｍｎ、（Ｓｒ，Ｍｇ）3（ＰＯ4）3：Ｓｎ、Ｌａ2Ｏ2Ｓ：Ｅｕ、Ｙ2Ｏ2Ｓ：Ｅｕを挙げることができ、更には、青色励起用の好ましい赤色蛍光体として、（ＭＥ：Ｅｕ）Ｓ［但し、「ＭＥ」は、Ｃａ、Ｓｒ及びＢａから成る群から選択された少なくとも１種類の原子を意味し、以下においても同様である］、（Ｍ：Ｓｍ）x（Ｓｉ，Ａｌ）12（Ｏ，Ｎ）16［但し、「Ｍ」は、Ｌｉ、Ｍｇ及びＣａから成る群から選択された少なくとも１種類の原子を意味し、以下においても同様である］、ＭＥ2Ｓｉ5Ｎ8：Ｅｕ、（Ｃａ：Ｅｕ）ＳｉＮ2、（Ｃａ：Ｅｕ）ＡｌＳｉＮ3を挙げることができる。また、緑色発光蛍光体粒子を構成する材料として、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎを挙げることができ、更には、青色励起用の好ましい緑色蛍光体として、（ＭＥ：Ｅｕ）Ｇａ2Ｓ4、（Ｍ：ＲＥ）x（Ｓｉ，Ａｌ）12（Ｏ，Ｎ）16［但し、「ＲＥ」は、Ｔｂ及びＹｂを意味する］、（Ｍ：Ｔｂ）x（Ｓｉ，Ａｌ）12（Ｏ，Ｎ）16、（Ｍ：Ｙｂ）x（Ｓｉ，Ａｌ）12（Ｏ，Ｎ）16を挙げることができる。更には、青色発光蛍光体粒子を構成する材料として、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂを挙げることができる。また、場合によっては、シアン色を発光する構成としてもよく、この場合には、緑色発光蛍光体粒子（例えば、ＬａＰＯ4：Ｃｅ，Ｔｂ、ＢａＭｇＡｌ10Ｏ17：Ｅｕ，Ｍｎ、Ｚｎ2ＳｉＯ4：Ｍｎ、ＭｇＡｌ11Ｏ19：Ｃｅ，Ｔｂ、Ｙ2ＳｉＯ5：Ｃｅ，Ｔｂ、ＭｇＡｌ11Ｏ19：ＣＥ，Ｔｂ，Ｍｎ）と青色発光蛍光体粒子（例えば、ＢａＭｇＡｌ10Ｏ17：Ｅｕ、ＢａＭｇ2Ａｌ16Ｏ27：Ｅｕ、Ｓｒ2Ｐ2Ｏ7：Ｅｕ、Ｓｒ5（ＰＯ4）3Ｃｌ：Ｅｕ、（Ｓｒ，Ｃａ，Ｂａ，Ｍｇ）5（ＰＯ4）3Ｃｌ：Ｅｕ、ＣａＷＯ4、ＣａＷＯ4：Ｐｂ）を混合したものを用いればよい。
【００２１】
但し、発光粒子は、発光蛍光粒子に限定されず、例えば、間接遷移型のシリコン系材料において、直接遷移型のように、キャリアを効率良く光へ変換させるために、キャリアの波動関数を局所化し、量子効果を用いた、２次元量子井戸構造、１次元量子井戸構造（量子細線）、０次元量子井戸構造（量子ドット）等の量子井戸構造を適用した発光粒子を挙げることもできるし、半導体材料に添加された希土類原子は殻内遷移により鋭く発光することが知られており、このような技術を適用した発光粒子を挙げることもできる。
【００２２】
第１原色光を通過させる領域（第１原色光通過領域）、第２原色発光層及び第３原色発光層の配列パターンとして、デルタ配列、ストライプ配列、ダイアゴナル配列、レクタングル配列を挙げることができる。
【００２３】
以上に説明した各種の好ましい形態を含む本発明の第３の態様に係るカラー液晶表示装置組立体にあっては、限定するものではないが、第２原色発光層、第３原色発光層は、光源と対向した支持部材の表面に形成されている構成とすることが好ましい。
【００２４】
また、直下型の面状光源装置における支持部材は、所謂拡散板を兼ねていてもよい。
【００２５】
本発明において、透過型のカラー液晶表示装置を構成するフロント・パネルは、より具体的には、例えば、ガラス基板やシリコン基板から成る第１の基板と、第１の基板の内面に設けられた透明第１電極（共通電極とも呼ばれ、例えば、ＩＴＯから成る）と、第１の基板の外面に設けられた偏光フィルム（偏光板）とから構成されている。また、必要に応じて、透過型のカラー液晶表示装置を構成するフロント・パネルは、第１の基板の内面に、アクリル樹脂やエポキシ樹脂から成るオーバーコート層によって被覆されたカラーフィルターが設けられ、オーバーコート層上に透明第１電極が形成された構成を有している。透明第１電極上には配向膜が形成されている。あるいは又、必要に応じて、透過型のカラー液晶表示装置を構成するフロント・パネルにおいて、第１の基板の外面の偏光フィルム（偏光板）上に、アクリル樹脂やエポキシ樹脂から成るオーバーコート層によって被覆されたカラーフィルターが設けられている。一方、透過型のカラー液晶表示装置を構成するリア・パネルは、より具体的には、例えば、ガラス基板やシリコン基板から成る第２の基板と、第２の基板の内面に形成されたスイッチング素子と、スイッチング素子によって導通／非導通が制御される透明第２電極（画素電極とも呼ばれ、例えば、ＩＴＯから成る）と、第２の基板の外面に設けられた偏光フィルム（偏光板）とから構成されている。透明第２電極を含む全面には配向膜が形成されている。これらの透過型のカラー液晶表示装置を構成する各種の部材や液晶材料は、周知の部材、材料から構成することができる。尚、スイッチング素子として、単結晶シリコン半導体基板に形成されたＭＯＳ型ＦＥＴや薄膜トランジスタ（ＴＦＴ）といった３端子素子や、ＭＩＭ素子、バリスタ素子、ダイオード等の２端子素子を例示することができる。
【００２６】
本発明において、構成に依っては、発光層あるいは光源からの光が支持部材あるいは導光板を通過するので、発光層あるいは光源からの光に対して透明な材料、即ち、発光層あるいは光源が射出する光を余り吸収することの無い材料から支持部材あるいは導光板を作製することが好ましい。具体的には、支持部材あるいは導光板を構成する材料として、例えば、ガラスや、プラスチック材料（例えば、ＰＭＭＡ、ポリカーボネート樹脂、アクリル系樹脂、非晶性のポリプロピレン系樹脂、ＡＳ樹脂を含むスチレン系樹脂）を挙げることができる。また、本発明において、構成に依っては、紫外線が支持部材あるいは導光板を通過する場合があり、このような場合には、支持部材あるいは導光板を、光源が射出する紫外線に対して透明な材料、即ち、光源が射出する紫外線を余り吸収すること無く、しかも、紫外線の照射によって損傷を受けない材料から作製することが好ましい。具体的には、支持部材あるいは導光板を構成する材料として、例えば、石英ガラスやＢＫ−７等の光学ガラス、シリコーン系樹脂等を挙げることができる。
【００２７】
導光板は、第１面（底面）、この第１面と対向した第２面（頂面）、第１側面、第２側面、第１側面と対向した第３側面、及び、第２側面と対向した第４側面を有する。導光板のより具体的な形状として、全体として、楔状の切頭四角錐形状を挙げることができ、この場合、切頭四角錐の２つの対向する側面が第１面及び第２面に相当し、切頭四角錐の底面が第１側面に相当する。そして、第１面（底面）の表面部には凸部及び／又は凹部が設けられていることが望ましい。導光板の第１側面から第１原色光が入射され、第２面（頂面）からカラー液晶表示装置に向けて第１原色光が射出される。ここで、導光板の第２面は、平滑としてもよいし（即ち、鏡面としてもよいし）、拡散効果のあるブラストシボを設けてもよい（即ち、微細な凹凸面とすることもできる）。
【００２８】
導光板の第１面（底面）には、凸部及び／又は凹部が設けられていることが望ましい。即ち、導光板の第１面には、凸部が設けられ、あるいは又、凹部が設けられ、あるいは又、凹凸部が設けられていることが望ましい。凹凸部が設けられている場合、凹部と凸部とが連続していてもよいし、不連続であってもよい。導光板の第１面に設けられた凸部及び／又は凹部は、導光板への第１原色光入射方向と所定の角度を成す方向に沿って延びる連続した凸部及び／又は凹部である構成とすることができる。このような構成にあっては、導光板への第１原色光入射方向であって第１面と垂直な仮想平面で導光板を切断したときの連続した凸形状あるいは凹形状の断面形状として、三角形；正方形、長方形、台形を含む任意の四角形；任意の多角形；円形、楕円形、放物線、双曲線、カテナリー等を含む任意の滑らかな曲線を例示することができる。尚、導光板への第１原色光入射方向と所定の角度を成す方向とは、導光板への第１原色光入射方向を０度としたとき、６０度〜１２０度の方向を意味する。以下においても同様である。あるいは又、導光板の第１面に設けられた凸部及び／又は凹部は、導光板への第１原色光入射方向と所定の角度を成す方向に沿って延びる不連続の凸部及び／又は凹部である構成とすることができる。このような構成にあっては、不連続の凸形状あるいは凹形状の形状として、角錐、円錐、円柱、三角柱や四角柱を含む多角柱、球の一部、回転楕円体の一部、回転放物線体の一部、回転双曲線体の一部といった各種の滑らかな曲面を例示することができる。尚、導光板において、場合によっては、第１面の周縁部には凸部や凹部が形成されていなくともよい。更には、光源から射出され、導光板に入射した第１原色光が導光板の第１面に形成された凸部あるいは凹部に衝突して散乱されるが、導光板の第１面に設けられた凸部あるいは凹部の高さや深さ、ピッチ、形状を、一定としてもよいし、光源から離れるに従い変化させてもよい。後者の場合、例えば凸部あるいは凹部のピッチを光源から離れるに従い細かくしてもよい。ここで、凸部のピッチ、あるいは、凹部のピッチとは、導光板への第１原色光入射方向に沿った凸部のピッチ、あるいは、凹部のピッチを意味する。
【００２９】
導光板を備えた面状光源装置にあっては、導光板の第１面に対向して反射部材を配置することが望ましい。導光板の第２面に対向してカラー液晶表示装置が配置されている。光源から射出された第１原色光は、導光板の第１側面（例えば、切頭四角錐の底面に相当する面）から導光板に入射し、第１面の凸部あるいは凹部に衝突して散乱され、第１面から射出し、反射部材にて反射され、第１面に再び入射し、第２面から射出され、カラー液晶表示装置を照射する。カラー液晶表示装置と導光板の第２面との間に、例えば、拡散シートやプリズムシートを配置してもよい。また、光源から射出された第１原色光を直接、導光板に導いてもよいし、間接的に導光板に導いてもよい。後者の場合、例えば、光ファイバーを用いればよい。
【発明の効果】
【００３０】
本発明にあっては、光源からは、白色光が射出されるのではなく、第１原色光（場合によっては、加えて紫外線）が射出される。そして、第２原色光及び第３原色光を発光（射出）する第２原色発光層及び第３原色発光層は、従来の技術とは異なり、光源とは別に設けられている。従って、従来の技術のように、光源から射出された白色光をカラー液晶表示装置に配置されたカラーフィルターを通過させることで所望の色の光を得るといった処理が不要であり、光源において生成される第１原色光等の有効利用効率の向上を図ることができ、その結果、カラー液晶表示装置組立体の消費電力の低下を達成することが可能となる。また、第２原色発光層及び第３原色発光層を構成する発光粒子の選択の自由度、各発光層の発光強度の設計自由度が高くなる結果、一層発光効率の高いカラー液晶表示装置組立体を得ることが可能となる。
【発明を実施するための最良の形態】
【００３１】
以下、図面を参照して、実施例に基づき本発明を説明する。
【実施例１】
【００３２】
実施例１は、本発明の第１の態様に係るカラー液晶表示装置組立体に関する。実施例１のカラー液晶表示装置組立体の概念図を図１の（Ａ）に示し、実施例１におけるカラー液晶表示装置の模式的な一部断面図を図４あるいは図５に示す。
【００３３】
実施例１のカラー液晶表示装置組立体は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ａ、並びに、
（ｄ）光源２１を有する面状光源装置（直下型のバックライト）２０Ａ、
を備えている。
【００３４】
ここで、光源２１は、リア・パネル７０に対向（対面）して配置され、カラー液晶表示装置１０Ａをリア・パネル側から照射する。そして、光源２１は、第１原色（青色）、第２原色（緑色）及び第３原色（赤色）から構成された光の三原色の内の第１原色（青色）に相当する第１原色光（波長λ1：４５４ｎｍ）を射出する発光ダイオード（ＬＥＤ）から成る。
【００３５】
面状光源装置２０Ａは、筐体２３と、筐体２３内に配置された光源２１と、光源２１の上方に位置する筐体２３の開口部に取り付けられ、光源２１からの第１原色（青色）を拡散させながら通過させる拡散板として機能する支持部材２２から構成されている。ここで、支持部材２２は、光源２１が射出する第１原色（青色）に対して透明であり、即ち、光源２１が射出する第１原色（青色）を余り吸収することが無い材料、より具体的には、プラスチック材料（例えば、ＰＭＭＡ、ポリカーボネート樹脂、アクリル系樹脂、非晶性のポリプロピレン系樹脂、ＡＳ樹脂を含むスチレン系樹脂）から作製されている。後述する実施例２、実施例３においても同様である。
【００３６】
フロント・パネル６０は、より具体的には、図４に示すように、例えば、ガラス基板から成る第１の基板６１と、第１の基板６１の内面に設けられた透明第１電極（共通電極とも呼ばれ、例えば、ＩＴＯから成る）６４と、第１の基板６１の外面に設けられた偏光フィルム（あるいは偏光板）６６とから構成されている。尚、場合によっては、図５に示すように、第１の基板６１の内面に、アクリル樹脂やエポキシ樹脂から成るオーバーコート層６３によって被覆されたカラーフィルター６２が設けられ、オーバーコート層６３上に透明第１電極６４が形成された構成を有していてもよい。いずれの構成にあっても、透明第１電極６４上には配向膜６５が形成されている。
【００３７】
一方、透過型のカラー液晶表示装置を構成するリア・パネル７０は、より具体的には、例えば、ガラス基板から成る第２の基板７１と、第２の基板７１の内面に形成されたスイッチング素子（具体的には、薄膜トランジスタ、ＴＦＴ）７２と、スイッチング素子７２によって導通／非導通が制御される透明第２電極（画素電極とも呼ばれ、例えば、ＩＴＯから成る）７４と、第２の基板７１の外面に設けられた偏光フィルム（あるいは偏光板）７６とから構成されている。透明第２電極７４を含む全面には配向膜７５が形成されている。フロント・パネル６０とリア・パネル７０とは、それらの外周部で封止材（図示せず）を介して接合されている。尚、スイッチング素子７２は、ＴＦＴに限定されず、例えば、ＭＩＭ素子から構成することもできる。また、図面における参照番号７７は、スイッチング素子７２とスイッチング素子７２との間に設けられた絶縁層である。
【００３８】
尚、これらの透過型のカラー液晶表示装置を構成する各種の部材や、液晶材料は、周知の部材、材料から構成することができるので、詳細な説明は省略する。
【００３９】
そして、面状光源装置２０Ａと対向したリア・パネル７０の部分には、
（Ａ）カラー液晶表示装置１０Ａの第２原色（緑色）に相当する第２原色光（波長λ2：５３２ｎｍ）を発光するサブピクセルに対応した領域上に形成され、第２原色光を発光する第２原色発光粒子から成り、光源２１から射出されたエネルギー線（具体的には、上述した第１原色光）によって励起されて第２原色光を発光する第２原色発光層（緑色発光層３０Ｇ）、並びに、
（Ｂ）カラー液晶表示装置１０Ａの第３原色（赤色）に相当する第３原色光（波長λ3：６５４ｎｍ）を発光するサブピクセルに対応した領域上に形成され、第３原色光を発光する第３原色発光粒子から成り、光源２１から射出されたエネルギー線（具体的には、上述した第１原色光）によって励起されて第３原色光を発光する第３原色発光層（赤色発光層３０Ｒ）、
が形成されている。
【００４０】
尚、カラー液晶表示装置１０Ａの第１原色（青色）に相当する第１原色光を発光するサブピクセルに対応した、面状光源装置２０Ａと対向したリア・パネル７０の部分の領域は、光源２１から射出された第１原色光に対して透明である。即ち、この領域は、光源２１から射出された第１原色光を通過させる。図１の（Ａ）、図４及び図５において、この領域を点線で示し、以下、第１原色光通過領域３０Ｂと呼ぶ。
【００４１】
ここで、第２原色発光粒子に相当する緑色発光粒子は緑色発光蛍光体粒子（具体的にはＳｒＧａ2Ｓ4：Ｅｕ）から成り、第３原色発光粒子に相当する赤色発光粒子は赤色発光蛍光体粒子（具体的には、ＣａＳ：Ｅｕ）から成る。
【００４２】
より具体的には、第２の基板７１の外面に設けられた偏光フィルム７６の上にはガラス板７９が接着されており、このガラス板７９上に、第２原色発光層（緑色発光層３０Ｇ）及び第３原色発光層（赤色発光層３０Ｒ）が配列されている。第２原色発光層（緑色発光層３０Ｇ）、第３原色発光層（赤色発光層３０Ｒ）及び第１原色光通過領域３０Ｂの配列パターンとして、デルタ配列、ストライプ配列、ダイアゴナル配列、レクタングル配列を挙げることができる。即ち、面状光源装置２０Ａと対向したリア・パネル７０の部分とは、リア・パネル７０の最外面を意味し、実施例１にあっては、より具体的には、ガラス板７９を指す。また、ガラス板７９に設けられた発光層３０Ｒ，３０Ｇ及び第１原色光通過領域３０Ｂと対向する第２の基板７１の部分以外の部分には、発光層３０Ｒ，３０Ｇ、及び、光源２１から射出された光を遮蔽し、迷光が生じることを防止するためのブラック・マトリックス７８が形成されている。尚、発光層３０Ｒ，３０Ｇ及び第１原色光通過領域３０Ｂと対向する第２の基板７１の部分以外の部分の大きさと、発光層３０Ｒ，３０Ｇ及び第１原色光通過領域３０Ｂの大きさとは、相補的な関係にあってもよいし、前者が後者よりも小さい関係にあってもよいし、前者が後者よりも大きい関係にあってもよい。
【００４３】
また、カラー液晶表示装置の第１原色光（青色）、第２原色光（緑色）あるいは第３原色光（赤色）を発光するサブピクセルは、それぞれ、具体的には、第２の基板７１の内面に形成された１つのスイッチング素子７２と、スイッチング素子７２によって導通／非導通が制御される１つの透明第２電極７４とから構成されている。
【００４４】
これらの発光層３０Ｒ及び発光層３０Ｇは、例えば、以下に説明する方法で形成することができる。即ち、発光層を形成すべきガラス板７９の表面に、先ず、第３原色発光層（赤色発光層３０Ｒ）を形成するために、例えばポリビニルアルコール（ＰＶＡ）樹脂と水に赤色発光蛍光体粒子を分散させ、更に、重クロム酸アンモニウムを添加した赤色発光蛍光体スラリーを塗布した後、かかる赤色発光蛍光体スラリーを乾燥する。その後、第３原色発光層（赤色発光層３０Ｒ）を形成すべき赤色発光蛍光体スラリーの部分に紫外線を照射し、赤色発光蛍光体スラリーを露光する。その後、赤色発光蛍光体スラリーを現像することによって、所定の配列パターンの第３原色発光層（赤色発光層３０Ｒ）を形成することができる。以下、緑色発光蛍光体粒子を含む緑色発光蛍光体スラリーに対して同様の処理を行うことによって第２原色発光層（緑色発光層３０Ｇ）を形成する。尚、発光層３０Ｒ，３０Ｇの形成方法は、以上に説明した方法に限定されず、赤色発光蛍光体スラリー、緑色発光蛍光体スラリーを順次塗布した後、各蛍光体スラリーを順次露光、現像して、各発光層を形成してもよいし、スクリーン印刷法等により各発光層を形成してもよい。後述する実施例２〜実施例６においても、実質的に同様の方法で発光層を形成することができる。
【００４５】
実施例１のカラー液晶表示装置組立体にあっては、カラー液晶表示装置の作動時、光源２１から射出された第１原色光（青色）は、拡散板として機能する支持部材２２を通過し、発光層３０Ｒ，３０Ｇを照射し、第１原色光通過領域３０Ｂを通過する。その結果、発光層３０Ｒ，３０Ｇから、第３原色光（赤色）、第２原色光（緑色）が射出され、これらの光及び第１原色光通過領域３０Ｂを通過した第１原色光（青色）は、所望に応じて、ガラス板７９、偏光フィルム７６、ブラック・マトリックス７８が形成されていない第２の基板７１の部分（発光層３０Ｒ，３０Ｇ及び第１原色光通過領域３０Ｂに対応した部分）、透明第２電極７４（カラー液晶表示装置の各色を発光するサブピクセルに対応した部分）、液晶材料８０、透明第１電極６４（カラー液晶表示装置の各色を発光するサブピクセルに対応した部分）、カラーフィルター６２が設けられている場合にはカラーフィルター６２、第１の基板６１、偏光フィルム６６を通過する。その結果、観察者は、カラー液晶表示装置における画像として認識することができる。
【００４６】
実施例１、あるいは、後述する実施例２〜実施例６のカラー液晶表示装置組立体にあっては、光源からは、白色光が射出されるのではなく、第１原色光（青色）が射出される。そして、第２原色光（緑色）及び第３原色光（赤色）を射出する発光層は、光源とは別に設けられている。従って、従来の技術のように、冷陰極線型の蛍光ランプといった光源から射出された白色光をカラー液晶表示装置の配置されたカラーフィルターを通過させることで所望の色の光を得るといった処理が不要であり、光源において生成される第１原色光（青色）の有効利用効率の向上を図ることができ、その結果、カラー液晶表示装置組立体の消費電力の低下を達成することが可能となる。
【００４７】
尚、実施例１あるいは後述する実施例２、実施例３において、光源２１を、第１原色光だけでなく、紫外線（波長λUV：３８２ｎｍあるいは４０５ｎｍ）を射出する発光ダイオード（ＬＥＤ）から構成し、第２原色発光粒子に相当する緑色発光粒子を、ＢａＭｇＡｌ10Ｏ17：Ｅｕ，Ｍｎから成る緑色発光蛍光体粒子とし、第３原色発光粒子に相当する赤色発光粒子を、Ｌａ2Ｏ2Ｓ：Ｅｕ、あるいは、Ｙ2Ｏ2Ｓ：Ｅｕから成る赤色発光蛍光体粒子とし、光源２１から射出されたエネルギー線（具体的には、この紫外線）によって、第２原色発光層（緑色発光層）及び第３原色発光層（赤色発光層）を励起することで、第２原色光及び第３原色光を発光（射出）させてもよい。尚、この場合、支持部材２２は、光源２１が射出する第１原色光及び紫外線に対しても透明であり、即ち、光源２１が射出する第１原色光及び紫外線を余り吸収すること無く、しかも、紫外線の照射によって損傷を受けない材料、より具体的には、石英ガラスやＢＫ−７等の光学ガラスから作製することが望ましい。また、所望に応じて、ガラス板７９と偏光フィルム７６との間には、紫外線吸収フィルムを配置することが望ましく、あるいは又、偏光フィルム７６の外面に、紫外線吸収フィルムを配置することが望ましい。
【実施例２】
【００４８】
実施例２は、本発明の第２の態様に係るカラー液晶表示装置組立体に関する。実施例２のカラー液晶表示装置組立体の概念図を図１の（Ｂ）に示し、実施例２におけるカラー液晶表示装置１０Ｂの模式的な一部断面図を図６に示す。
【００４９】
実施例２のカラー液晶表示装置組立体は、第２原色発光層（緑色発光層３１Ｇ）及び第３原色発光層（赤色発光層３１Ｒ）が、実施例１のように面状光源装置２０Ａと対向したリア・パネル７０の部分に形成される代わりに、フロント・パネル６０に形成されている。この点を除き、実施例２のカラー液晶表示装置組立体（面状光源装置（直下型のバックライト）２０Ａを含む）は、実施例１のカラー液晶表示装置組立体と同じ構成、構造を有する。また、第２原色発光層（緑色発光層３１Ｇ）及び第３原色発光層（赤色発光層３１Ｒ）、並びに、第１原色光通過領域３１Ｂも、実施例１の第２原色発光層（緑色発光層３０Ｇ）及び第３原色発光層（赤色発光層３０Ｒ）、並びに、第１原色光通過領域３０Ｂと同じ構成、構造を有する。
【００５０】
フロント・パネル６０は、より具体的には、図６に示すように、例えば、ガラス基板から成る第１の基板６１と、第１の基板６１の内面に設けられた透明第１電極６４と、透明第１電極６４上に形成された配向膜６５と、第１の基板６１の外面に設けられた偏光フィルム（あるいは偏光板）６６とから構成されている。但し、実施例１のフロント・パネルと異なり、実施例２のフロント・パネル６０においては、第２原色発光層（緑色発光層３１Ｇ）及び第３原色発光層（赤色発光層３１Ｒ）が偏光フィルム６６上に形成されており、更には、第２原色発光層（緑色発光層３１Ｇ）及び第３原色発光層（赤色発光層３１Ｒ）はカラーフィルター６２Ａで覆われている。尚、カラーフィルター６２Ａは、アクリル樹脂やエポキシ樹脂から成るオーバーコート層（図示せず）によって被覆されている。また、発光層３１Ｒ，３１Ｇ及び第１原色光通過領域３１Ｂが形成された部分以外の部分には、発光層３１Ｒ，３１Ｇ、及び、光源２１から射出された光を遮蔽し、迷光が生じることを防止するためのブラック・マトリックス６８が形成されている。ここで、赤色発光粒子は、実施例１にて説明したと同様の赤色発光蛍光体粒子から成り、緑色発光粒子も、実施例１にて説明したと同様の緑色発光蛍光体粒子から成る。
【００５１】
一方、透過型のカラー液晶表示装置１０Ｂを構成するリア・パネル７０は、より具体的には、例えば、ガラス基板から成る第２の基板７１と、第２の基板７１の内面に形成されたスイッチング素子（具体的には、薄膜トランジスタ、ＴＦＴ）７２と、スイッチング素子７２によって導通／非導通が制御される透明第２電極７４と、第２の基板７１の外面に設けられた偏光フィルム７６とから構成されている。透明第２電極７４を含む全面には配向膜７５が形成されている。フロント・パネル６０とリア・パネル７０とは、それらの外周部で封止材（図示せず）を介して接合されている。
【００５２】
実施例２のカラー液晶表示装置組立体にあっては、カラー液晶表示装置の作動時、光源２１から射出された第１原色光（青色）は、拡散板として機能する支持部材２２を通過し、更には、偏光フィルム７６、第２の基板７１、透明第２電極７４（カラー液晶表示装置の各色を発光するサブピクセルに対応した部分）、液晶材料８０、透明第１電極６４（カラー液晶表示装置の各色を発光するサブピクセルに対応した部分）、第１の基板６１、偏光フィルム６６を通過し、更に、発光層３１Ｒ，３１Ｇを照射し、第１原色光通過領域３１Ｂを通過する。その結果、発光層３１Ｒ，３１Ｇから、第３原色光（赤色）、第２原色光（緑色）が射出され、これらの光及び第１原色光通過領域３１Ｂを通過した第１原色光（青色）は、カラーフィルター６２Ａを通過し、観察者は、カラー液晶表示装置における画像として認識することができる。
【００５３】
実施例２あるいは後述する実施例５におけるカラー液晶表示装置組立体においては、第２原色発光層（緑色発光層３１Ｇ）及び第３原色発光層（赤色発光層３１Ｒ）がカラーフィルター６２Ａで覆われている構造を有するので、パララックス（視差）の発生を回避することができる。
【００５４】
尚、第２原色発光層（緑色発光層３１Ｇ）及び第３原色発光層（赤色発光層３１Ｒ）、カラーフィルター６２Ａ、並びに、ブラック・マトリックス６８を偏光フィルム６６上に形成する代わりに、これらを第１の基板６１と透明第１電極６４との間に設けてもよい。後述する実施例５においても、同様とすることができる。
【実施例３】
【００５５】
実施例３は、本発明の第３の態様に係るカラー液晶表示装置組立体、及び、本発明の第１の態様に係る面状光源装置に関する。実施例３のカラー液晶表示装置組立体及び面状光源装置の概念図を図２の（Ａ）に示し、実施例３におけるカラー液晶表示装置を図７あるいは図８の模式的な一部断面図に示す。
【００５６】
実施例３の面状光源装置２０Ｂは、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ｃをリア・パネル側から照射する面状光源装置（直下型のバックライト）２０Ｂである。
【００５７】
また、実施例３のカラー液晶表示装置組立体は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ｃ、並びに、
（ｄ）カラー液晶表示装置１０Ｃをリア・パネル側から照射する面状光源装置（直下型のバックライト）２０Ｂ、
を備えたカラー液晶表示装置組立体である。
【００５８】
そして、面状光源装置２０Ｂは、
（Ａ）リア・パネル７０に対向（対面）して配置され、第１原色（青色）、第２原色（緑色）及び第３原色（赤色）から構成された光の三原色の内の第１原色（青色）に相当する第１原色光を射出する発光ダイオード（ＬＥＤ）から成る光源２１（尚、この発光ダイオードは、実施例１において説明したと同じ発光ダイオードである）、
（Ｂ）リア・パネル７０と光源２１との間に配置された支持部材２２、
（Ｃ）カラー液晶表示装置１０Ｃの第２原色（緑色）に相当する第２原色光（波長λ2は実施例１にて説明したと同じ波長である）を発光するサブピクセルに対応した支持部材２２の領域上に形成され、第２原色光を発光する第２原色発光粒子から成り、光源２１から射出されたエネルギー線（具体的には、上述した第１原色光）によって励起されて第２原色光を発光する第２原色発光層（緑色発光層３２Ｇ）、並びに、
（Ｄ）カラー液晶表示装置１０Ｃの第３原色（赤色）に相当する第３原色光（波長λ3は実施例１にて説明したと同じ波長である）を発光するサブピクセルに対応した支持部材２２の領域上に形成され、第３原色光を発光する第３原色発光粒子から成り、光源２１から射出されたエネルギー線（具体的には、上述した第１原色光）によって励起されて第３原色光を発光する第３原色発光層（赤色発光層３２Ｒ）、
を具備する。
【００５９】
尚、カラー液晶表示装置１０Ｃの第１原色（青色）に相当する第１原色光を発光するサブピクセルに対応した支持部材２２の領域は、光源２１から射出された第１原色光に対して透明である。即ち、この領域は、光源２１から射出された第１原色光を通過させる。図２の（Ａ）において、この領域を点線で示し、以下、第１原色光通過領域３２Ｂと呼ぶ。
【００６０】
実施例３におけるフロント・パネル６０は、図７あるいは図８に示すように、図４あるいは図５を参照して説明した実施例１のフロント・パネル６０と同様の構成、構造を有しているが故に、詳細な説明は省略する。また、実施例３におけるリア・パネル７０は、図７あるいは図８に示すように、図４あるいは図５を参照して説明した実施例１のリア・パネル７０と、ガラス板７９が無い点、及び、ガラス板７９の上に発光層が形成されていない点の２点を除き、実施例１のリア・パネル７０と同様の構成、構造を有しているが故に、詳細な説明は省略する。
【００６１】
更には、面状光源装置２０Ｂは、第２原色発光層（緑色発光層３２Ｇ）及び第３原色発光層（赤色発光層３２Ｒ）が、光源２１と対向した支持部材２２の表面（内面）に形成されている点を除き、実施例１において説明した面状光源装置２０Ａと同様の構成、構造を有しているが故に、詳細な説明は省略する。
【００６２】
ここで、赤色発光粒子は、実施例１にて説明したと同様の赤色発光蛍光体粒子から成り、緑色発光粒子も、実施例１にて説明したと同様の緑色発光蛍光体粒子から成る。
【００６３】
また、カラー液晶表示装置の赤色、緑色あるいは青色を発光するサブピクセルに対応した支持部材の領域の大きさ（発光層３２Ｒ，３２Ｇ及び第１原色光通過領域３２Ｂの大きさ）と、サブピクセルの大きさとは、相補的な関係にあってもよいし、前者が後者よりも小さい関係にあってもよいし、前者が後者よりも大きい関係にあってもよい。
【００６４】
実施例３のカラー液晶表示装置組立体にあっては、カラー液晶表示装置の作動時、光源２１から射出された第１原色光は、発光層３２Ｒ，３２Ｇ及び第１原色光通過領域３２Ｂを照射する。その結果、発光層３２Ｒ，３２Ｇ及び第１原色光通過領域３２Ｂから、赤色、緑色、青色の光が射出され、これらの光は、拡散板として機能する支持部材２２を通過し、更には、所望に応じて、偏光フィルム７６、ブラック・マトリックス７８が形成されていない第２の基板７１の部分（各発光層３２Ｒ，３２Ｇ及び第１原色光通過領域３２Ｂに対応した部分である）、透明第２電極７４（カラー液晶表示装置の各色を発光するサブピクセルに対応した部分）、液晶材料８０、透明第１電極６４（カラー液晶表示装置の各色を発光するサブピクセルに対応した部分）、カラーフィルター６２が設けられている場合にはカラーフィルター６２、第１の基板６１、偏光フィルム６６を通過する。その結果、観察者は、カラー液晶表示装置における画像として認識することができる。
【実施例４】
【００６５】
実施例４は、本発明の第４の態様に係るカラー液晶表示装置組立体に関する。実施例４のカラー液晶表示装置組立体の概念図を図２の（Ｂ）に示す。尚、実施例４におけるカラー液晶表示装置の模式的な一部断面図は、図４あるいは図５に示した模式的な一部断面図と同様である。
【００６６】
実施例４のカラー液晶表示装置組立体は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ａ、並びに、
（ｄ）導光板５０及び光源４１から成り、カラー液晶表示装置１０Ａをリア・パネル側から照射する面状光源装置（エッジライト型のバックライト）４０Ａ、
を備えている。
【００６７】
ここで、光源４１は、第１原色（青色）、第２原色（緑色）及び第３原色（赤色）から構成された光の三原色の内の第１原色（青色）に相当する第１原色光を射出し、導光板５０の側面（第１側面５４）から導光板５０に入射させる発光ダイオード（ＬＥＤ）から成る。尚、この発光ダイオードは、実施例１において説明したと同じ発光ダイオードである。
【００６８】
そして、面状光源装置２０Ａと対向（対面）したリア・パネル７０の部分には、
（Ａ）カラー液晶表示装置１０Ａの第２原色（緑色）に相当する第２原色光（波長λ2は実施例１にて説明したと同じ波長である）を発光するサブピクセルに対応した領域上に形成され、第２原色光を発光する第２原色発光粒子から成り、光源４１から射出されたエネルギー線（具体的には、上述した第１原色光）によって励起されて第２原色光を発光する第２原色発光層（緑色発光層３０Ｇ）、並びに、
（Ｂ）カラー液晶表示装置１０Ａの第３原色（赤色）に相当する第３原色光（波長λ3は実施例１にて説明したと同じ波長である）を発光するサブピクセルに対応した領域上に形成され、第３原色光を発光する第３原色発光粒子から成り、光源４１から射出されたエネルギー線（具体的には、上述した第１原色光）によって励起されて第３原色光を発光する第３原色発光層（赤色発光層３０Ｒ）、
が形成されている。
【００６９】
尚、カラー液晶表示装置１０Ａの第１原色（青色）に相当する第１原色光を発光するサブピクセルに対応した、面状光源装置４０Ａと対向したリア・パネル７０の部分の領域は、導光板５０から射出された第１原色光に対して透明である。即ち、この領域（第１原色光通過領域３０Ｂ）は、導光板５０から射出された第１原色光を通過させる。
【００７０】
ここで、フロント・パネル６０及びリア・パネル７０の構成、構造は、図４及び図５を参照して説明した実施例１のフロント・パネル６０及びリア・パネル７０と同様の構成、構造とすることができるので、詳細な説明は省略する。また、赤色発光粒子は、実施例１にて説明したと同様の赤色発光蛍光体粒子から成り、緑色発光粒子も、実施例１にて説明したと同様の緑色発光蛍光体粒子から成る。
【００７１】
実施例４、あるいは、後述する実施例５、実施例６において、例えば、ポリカーボネート樹脂から成る導光板５０は、第１面（底面）５１、この第１面５１と対向した第２面（頂面）５３、第１側面５４、第２側面５５、第１側面５４と対向した第３側面５６、及び、第２側面５４と対向した第４側面を有する。導光板のより具体的な形状は、全体として、楔状の切頭四角錐形状であり、切頭四角錐の２つの対向する側面が第１面５１及び第２面５３に相当し、切頭四角錐の底面が第１側面５４に相当する。そして、第１面５１の表面部には凹凸部５２が設けられている。導光板５０への第１原色光入射方向であって第１面５１と垂直な仮想平面で導光板５０を切断したときの連続した凸凹部の断面形状は、三角形である。即ち、第１面５１の表面部に設けられた凹凸部５２は、プリズム状である。導光板５０の第２面５３は、平滑としてもよいし（即ち、鏡面としてもよいし）、拡散効果のあるブラストシボを設けてもよい（即ち、微細な凹凸面とすることもできる）。導光板５０の第１面５１に対向して反射部材４２が配置されている。また、導光板５０の第２面５３に対向してカラー液晶表示装置１０Ａが配置されている。更には、カラー液晶表示装置１０Ａと導光板５０の第２面５３との間には、拡散シート４３及びプリズムシート４４が配置されている。光源４１から射出された第１原色光は、導光板５０の第１側面５４（例えば、切頭四角錐の底面に相当する面）から導光板５０に入射し、第１面５１の凹凸部５２に衝突して散乱され、第１面５１から射出し、反射部材４２にて反射され、第１面５１に再び入射し、第２面５３から射出され、拡散シート４３及びプリズムシート４４を通過して、カラー液晶表示装置１０Ａを照射する。
【００７２】
実施例４のカラー液晶表示装置組立体にあっては、カラー液晶表示装置の作動時、光源４１から射出された第１原色光（青色）は、最終的に、導光板５０の第２面（頂面）５３からカラー液晶表示装置１０Ａに向けて射出され、発光層３０Ｒ，３０Ｇを照射し、第１原色光通過領域３０Ｂを通過する。その結果、発光層３０Ｒ，３０Ｇから、第３原色光（赤色）、第２原色光（緑色）が射出され、これらの光及び第１原色光通過領域３０Ｂを通過した第１原色光（青色）は、所望に応じて、ガラス板７９、偏光フィルム７６、ブラック・マトリックス７８が形成されていない第２の基板７１の部分（発光層３０Ｒ，３０Ｇ及び第１原色光通過領域３０Ｂに対応した部分）、透明第２電極７４（カラー液晶表示装置の各色を発光するサブピクセルに対応した部分）、液晶材料８０、透明第１電極６４（カラー液晶表示装置の各色を発光するサブピクセルに対応した部分）、カラーフィルター６２が設けられている場合にはカラーフィルター６２、第１の基板６１、偏光フィルム６６を通過する。その結果、観察者は、カラー液晶表示装置における画像として認識することができる。
【００７３】
尚、実施例４あるいは後述する実施例５、実施例６において、光源４１を、第１原色光だけでなく、紫外線（波長λUV：３８２ｎｍあるいは４０５ｎｍ）を射出する発光ダイオード（ＬＥＤ）から構成し、第２原色発光粒子に相当する緑色発光粒子を、ＢａＭｇＡｌ10Ｏ17：Ｅｕ，Ｍｎから成る緑色発光蛍光体粒子とし、第３原色発光粒子に相当する赤色発光粒子を、Ｌａ2Ｏ2Ｓ：Ｅｕ、あるいは、Ｙ2Ｏ2Ｓ：Ｅｕから成る赤色発光蛍光体粒子とし、光源４１から射出されたエネルギー線（具体的には、この紫外線）によって、第２原色発光層（緑色発光層）及び第３原色発光層（赤色発光層）を励起することで、第２原色光及び第３原色光を発光（射出）させてもよい。尚、この場合、導光板５０は、光源４１が射出する第１原色光及び紫外線に対しても透明であり、即ち、光源４１が射出する第１原色光及び紫外線を余り吸収すること無く、しかも、紫外線の照射によって損傷を受けない材料、より具体的には、シリコーン系樹脂材料から作製することが望ましい。また、所望に応じて、ガラス板７９と偏光フィルム７６との間には、紫外線吸収フィルムを配置することが望ましい。更には、反射部材４２は、紫外線の照射によって損傷を受けない材料、より具体的には、例えば、ＴｉＯ2やＢａＳＯ4、ＭｇＯ等の無機材料をシリコーン系樹脂に分散させたシート等から作製することが望ましく、拡散シート４３は、光源４１が射出する紫外線に対して透明であり、即ち、光源４１が射出する紫外線を余り吸収すること無く、しかも、紫外線の照射によって損傷を受けない材料、より具体的には、例えば、ＴｉＯ2やＢａＳＯ4、ＭｇＯ等の無機材料をシリコーン系樹脂に分散させたシート等から作製することが望ましく、プリズムシート４４は、光源４１が射出する紫外線に対して透明であり、即ち、光源４１が射出する紫外線を余り吸収すること無く、しかも、紫外線の照射によって損傷を受けない材料から作製することが望ましい。
【実施例５】
【００７４】
実施例５は、本発明の第５の態様に係るカラー液晶表示装置組立体に関する。実施例５のカラー液晶表示装置組立体の概念図を図３の（Ａ）に示す。尚、実施例５におけるカラー液晶表示装置の模式的な一部断面図は、図６に示した模式的な一部断面図と同様である。
【００７５】
実施例５のカラー液晶表示装置組立体は、第２原色発光層（緑色発光層３１Ｇ）及び第３原色発光層（赤色発光層３１Ｒ）が、実施例４のように面状光源装置４０Ａと対向したリア・パネル７０の部分に形成される代わりに、フロント・パネル６０に形成されている。この点を除き、実施例５のカラー液晶表示装置組立体（面状光源装置（エッジライト型のバックライト）４０Ａを含む）は、実施例４のカラー液晶表示装置組立体と同じ構成、構造を有する。また、第２原色発光層（緑色発光層３１Ｇ）及び第３原色発光層（赤色発光層３１Ｒ）、並びに、第１原色光通過領域３１Ｂも、実施例４の第２原色発光層（緑色発光層３０Ｇ）及び第３原色発光層（赤色発光層３０Ｒ）、並びに、第１原色光通過領域３０Ｂと同じ構成、構造を有する。
【００７６】
更には、フロント・パネル６０及びリア・パネル７０の構成、構造は、図６を参照して説明した実施例２のフロント・パネル６０及びリア・パネル７０と同様の構成、構造とすることができるので、詳細な説明は省略する。また、赤色発光粒子は、実施例１にて説明したと同様の赤色発光蛍光体粒子から成り、緑色発光粒子も、実施例１にて説明したと同様の緑色発光蛍光体粒子から成る。
【００７７】
実施例５のカラー液晶表示装置組立体にあっては、カラー液晶表示装置の作動時、光源４１から射出された第１原色光（青色）は、最終的に、導光板５０の第２面（頂面）５３からカラー液晶表示装置１０Ａに向けて射出され、偏光フィルム７６、第２の基板７１、透明第２電極７４（カラー液晶表示装置の各色を発光するサブピクセルに対応した部分）、液晶材料８０、透明第１電極６４（カラー液晶表示装置の各色を発光するサブピクセルに対応した部分）、第１の基板６１、偏光フィルム６６を通過し、更に、発光層３１Ｒ，３１Ｇを照射し、第１原色光通過領域３１Ｂを通過する。その結果、発光層３１Ｒ，３１Ｇから、第３原色光（赤色）、第２原色光（緑色）が射出され、これらの光及び第１原色光通過領域３１Ｂを通過した第１原色光（青色）は、カラーフィルター６２Ａを通過し、観察者は、カラー液晶表示装置における画像として認識することができる。
【実施例６】
【００７８】
実施例６は、本発明の第６の態様に係るカラー液晶表示装置組立体、及び、本発明の第２の態様に係る面状光源装置に関する。実施例６のカラー液晶表示装置組立体及び面状光源装置の概念図を図３の（Ｂ）に示す。尚、実施例６におけるカラー液晶表示装置の模式的な一部断面図は、図７あるいは図８に示した模式的な一部断面図と同様である。
【００７９】
実施例６の面状光源装置は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ｃをリア・パネル側から照射する面状光源装置（エッジライト型のバックライト）４０Ｂである。
【００８０】
また、実施例６のカラー液晶表示装置組立体は、
（ａ）透明第１電極６４を備えたフロント・パネル６０、
（ｂ）透明第２電極７４を備えたリア・パネル７０、及び、
（ｃ）フロント・パネル６０とリア・パネル７０との間に配された液晶材料８０、
から成る透過型のカラー液晶表示装置１０Ｃ、並びに、
（ｄ）カラー液晶表示装置１０Ｃをリア・パネル側から照射する面状光源装置（エッジライト型のバックライト）４０Ｂ、
を備えたカラー液晶表示装置組立体である。
【００８１】
そして、面状光源装置４０Ｂは、
（Ａ）導光板５０、
（Ｂ）第１原色（青色）、第２原色（緑色）及び第３原色（赤色）から構成された光の三原色の内の第１原色（青色）に相当する第１原色光を射出し、導光板５０の側面（第１側面５４）から導光板５０に入射させる発光ダイオード（ＬＥＤ）から成る光源４１（尚、この発光ダイオードは、実施例１において説明したと同じ発光ダイオードである）、
（Ｃ）カラー液晶表示装置１０Ｃの第２原色（緑色）に相当する第２原色光（波長λ2は実施例１にて説明したと同じ波長である）を発光するサブピクセルに対応してリア・パネル７０に対向した導光板５０の領域上に形成され、第２原色光を発光する第２原色発光粒子から成り、光源４１から射出されたエネルギー線（具体的には、上述した第１原色光）によって励起されて第２原色光を発光する第２原色発光層（緑色発光層３２Ｇ）、並びに、
（Ｄ）カラー液晶表示装置１０Ｃの第３原色（赤色）に相当する第３原色光（波長λ3は実施例１にて説明したと同じ波長である）を発光するサブピクセルに対応してリア・パネル７０に対向した導光板５０の領域上に形成され、第３原色光を発光する第３原色発光粒子から成り、光源４１から射出されたエネルギー線（具体的には、上述した第１原色光）によって励起されて第３原色光を発光する第３原色発光層（赤色発光層３２Ｒ）、
を具備する。
【００８２】
尚、カラー液晶表示装置１０Ｃの第１原色（青色）に相当する第１原色光を発光するサブピクセルに対応してリア・パネル７０に対向した導光板５０の領域は、光源４１から射出された第１原色光に対して透明である。即ち、この領域（第１原色光通過領域３２Ｂ）は、光源４１から射出された第１原色光を通過させる。
【００８３】
ここで、フロント・パネル６０及びリア・パネル７０の構成、構造は、図７あるいは図８を参照して説明した実施例３のフロント・パネル６０及びリア・パネル７０と同様の構成、構造とすることができるので、詳細な説明は省略する。また、導光板５０の構成、構造も、第２原色発光層（緑色発光層３２Ｇ）及び第３原色発光層（赤色発光層３２Ｒ）が、リア・パネル７０と対向した導光板５０の第２面５３上に形成されている点を除き、実施例４において説明した導光板５０の構成、構造と同様の構成、構造とすることができるので、詳細な説明は省略する。更には、赤色発光粒子は、実施例１において説明したと同様の赤色発光蛍光体粒子から成り、緑色発光粒子も、実施例１において説明したと同様の緑色発光蛍光体粒子から成る。
【００８４】
尚、カラー液晶表示装置の赤色、緑色あるいは青色を発光するサブピクセルに対応した導光板５０の領域の大きさ（発光層３２Ｒ，３２Ｇ及び第１原色光通過領域３２Ｂの大きさ）と、サブピクセルの大きさとは、相補的な関係にあってもよいし、前者が後者よりも小さい関係にあってもよいし、前者が後者よりも大きい関係にあってもよい。場合によっては、発光層３２Ｒ，３２Ｇを、導光板５０の第１面５１上に配置してもよい。
【００８５】
実施例６のカラー液晶表示装置組立体にあっては、カラー液晶表示装置の作動時、光源４１から射出された紫外線は、発光層３２Ｒ，３２Ｇを照射し、第１原色光通過領域３２Ｂを通過する。その結果、発光層３２Ｒ，３２Ｇから、赤色、緑色の光が射出され、第１原色光通過領域３２Ｂを青色の光が通過し、これらの光は、所望に応じて、拡散シート４３、プリズムシート４４を通過し、更には、偏光フィルム７６、ブラック・マトリックス７８が形成されていない第２の基板７１の部分（各発光層３２Ｒ，３２Ｇ及び第１原色光通過領域３２Ｂに対応した部分である）、透明第２電極７４（カラー液晶表示装置の各色を発光するサブピクセルに対応した部分）、液晶材料８０、透明第１電極６４（カラー液晶表示装置の各色を発光するサブピクセルに対応した部分）、カラーフィルター６２が設けられている場合にはカラーフィルター６２、第１の基板６１、偏光フィルム６６を通過する。その結果、観察者は、カラー液晶表示装置における画像として認識することができる。
【００８６】
以上、本発明を好ましい実施例に基づき説明したが、本発明はこれらの実施例に限定されるものではない。実施例において説明した透過型のカラー液晶表示装置や面状光源装置、カラー液晶表示装置組立体の構成、構造は例示であるし、これらを構成する部材、材料等も例示であり、適宜、変更することができる。また、第１原色、第１原色光、第２原色、第２原色光、第３原色、第３原色光に関する記述も例示であり、適宜、変更することができる。即ち、第１原色を青色の代わりに、緑色としてもよいし、赤色としてもよい。
【００８７】
実施例におけるカラー液晶表示装置組立体にあっては、第２の基板７１にブラック・マトリックス７８を形成しなくともよいし、ガラス板７９や支持部材２２、導光板５０上に形成された第２原色発光層と第３原色発光層との間に、図示したように隙間が存在していてもよいし、隙間が存在していなくともよい。また、紫外線によって液晶材料や偏光フィルム等に損傷が生じる虞がある場合には、紫外線を吸収、遮断する紫外線吸収（カット）フィルムや紫外線吸収（カット）層を、適切な位置に配置、形成してもよい。また、カラー液晶表示装置を構成するフロント・パネルにおける第１の基板の表面に反射防止膜（ＡＲフィルム）を取り付けてもよい。
【００８８】
実施例１あるいは実施例２のカラー液晶表示装置組立体の変形として、
（ａ）透明第１電極を備えたフロント・パネル、
（ｂ）透明第２電極を備えたリア・パネル、及び、
（ｃ）フロント・パネルとリア・パネルとの間に配された液晶材料、
から成り、
（ｄ）カラーフィルター、
を具備した透過型のカラー液晶表示装置、並びに、
（ｅ）リア・パネルに対向して配置され、カラー液晶表示装置をリア・パネル側から照射する光源を有する面状光源装置、
を備え、
光源は、第１原色、第２原色及び第３原色から構成された光の三原色の内の第１原色に相当する第１原色光を射出する第１光源、及び、第２原色に相当する第２原色光を射出する第２光源から成り、
面状光源装置と対向したリア・パネルの部分には、あるいは又、フロント・パネルには、カラー液晶表示装置の第３原色に相当する第３原色光を発光するサブピクセルに対応した領域上に形成され、第３原色光を発光する第３原色発光粒子から成り、第１光源から射出されたエネルギー線によって励起されて第３原色光を発光する第３原色発光層が形成されているカラー液晶表示装置組立体とすることもできる。
【００８９】
また、実施例３のカラー液晶表示装置組立体の変形として、
（ａ）透明第１電極を備えたフロント・パネル、
（ｂ）透明第２電極を備えたリア・パネル、及び、
（ｃ）フロント・パネルとリア・パネルとの間に配された液晶材料、
から成り、
（ｄ）カラーフィルター、
を具備した透過型のカラー液晶表示装置、並びに、
（ｅ）カラー液晶表示装置をリア・パネル側から照射する面状光源装置、
を備え、
面状光源装置は、
（Ａ）リア・パネルに対向して配置され、第１原色、第２原色及び第３原色から構成された光の三原色の内の第１原色に相当する第１原色光を射出する第１光源、及び、第２原色に相当する第２原色光を射出する第２光源から成る光源、
（Ｂ）リア・パネルと光源との間に配置された支持部材、並びに、
（Ｃ）カラー液晶表示装置の第３原色に相当する第３原色光を発光するサブピクセルに対応した支持部材の領域上に形成され、第３原色光を発光する第３原色発光粒子から成り、第１光源から射出されたエネルギー線によって励起されて第３原色光を発光する第３原色発光層、
を具備するカラー液晶表示装置組立体とすることもできる。
【００９０】
更には、実施例４あるいは実施例５のカラー液晶表示装置組立体の変形として、
（ａ）透明第１電極を備えたフロント・パネル、
（ｂ）透明第２電極を備えたリア・パネル、及び、
（ｃ）フロント・パネルとリア・パネルとの間に配された液晶材料、
から成り、
（ｄ）カラーフィルター、
を具備した透過型のカラー液晶表示装置、並びに、
（ｅ）導光板と、光源とから成り、カラー液晶表示装置をリア・パネル側から照射する面状光源装置、
を備え、
光源は、第１原色、第２原色及び第３原色から構成された光の三原色の内の第１原色に相当する第１原色光を射出し、導光板の側面から導光板に入射させる第１光源、及び、第２原色に相当する第２原色光を射出し、導光板の側面から導光板に入射させる第２光源から成り、
面状光源装置と対向したリア・パネルの部分には、あるいは又、フロント・パネルには、カラー液晶表示装置の第３原色に相当する第３原色光を発光するサブピクセルに対応した領域上に形成され、第３原色を発光する第３原色発光粒子から成り、光源から射出されたエネルギー線によって励起されて第３原色を発光する第３原色発光層が形成されているカラー液晶表示装置組立体とすることもできる。
【００９１】
また、実施例６のカラー液晶表示装置組立体の変形として、
（ａ）透明第１電極を備えたフロント・パネル、
（ｂ）透明第２電極を備えたリア・パネル、及び、
（ｃ）フロント・パネルとリア・パネルとの間に配された液晶材料、
から成り、
（ｄ）カラーフィルター、
を具備した透過型のカラー液晶表示装置、並びに、
（ｅ）カラー液晶表示装置をリア・パネル側から照射する面状光源装置、
を備えたカラー液晶表示装置組立体であって、
面状光源装置は、
（Ａ）導光板、
（Ｂ）第１原色、第２原色及び第３原色から構成された光の三原色の内の第１原色に相当する第１原色光を射出し、導光板の側面から導光板に入射させる第１光源、及び、第２原色に相当する第２原色光を射出し、導光板の側面から導光板に入射させる第２光源から成る光源、並びに、
（Ｃ）カラー液晶表示装置の第３原色に相当する第３原色光を発光するサブピクセルに対応してリア・パネルに対向した導光板の領域上に形成され、第３原色光を発光する第３原色発光粒子から成り、第１光源から射出されたエネルギー線によって励起されて第３原色光を発光する第３原色発光層、
を具備するカラー液晶表示装置組立体とすることもできる。
【００９２】
また、実施例３の面状光源装置の変形として、
（ａ）透明第１電極を備えたフロント・パネル、
（ｂ）透明第２電極を備えたリア・パネル、及び、
（ｃ）フロント・パネルとリア・パネルとの間に配された液晶材料、
から成り、
（ｄ）カラーフィルター、
を具備した透過型のカラー液晶表示装置をリア・パネル側から照射する面状光源装置であって、
（Ａ）リア・パネルに対向して配置され、第１原色、第２原色及び第３原色から構成された光の三原色の内の第１原色に相当する第１原色光を射出する第１光源、及び、第２原色に相当する第２原色光を射出する第２光源から成る光源、
（Ｂ）リア・パネルと光源との間に配置された支持部材、並びに、
（Ｃ）カラー液晶表示装置の第３原色に相当する第３原色光を発光するサブピクセルに対応した支持部材の領域上に形成され、第３原色光を発光する第３原色発光粒子から成り、第１光源から射出されたエネルギー線によって励起されて第３原色光を発光する第３原色発光層、
を具備する面状光源装置とすることもできる。
【００９３】
更には、実施例６の面状光源装置の変形として、
（ａ）透明第１電極を備えたフロント・パネル、
（ｂ）透明第２電極を備えたリア・パネル、及び、
（ｃ）フロント・パネルとリア・パネルとの間に配された液晶材料、
から成り、
（ｄ）カラーフィルター、
を具備した透過型のカラー液晶表示装置をリア・パネル側から照射する面状光源装置であって、
（Ａ）導光板、
（Ｂ）第１原色、第２原色及び第３原色から構成された光の三原色の内の第１原色に相当する第１原色光を射出し、導光板の側面から導光板に入射させる第１光源、及び、第２原色に相当する第２原色光を射出し、導光板の側面から導光板に入射させる第２光源から成る光源、並びに、
（Ｃ）カラー液晶表示装置の第３原色に相当する第３原色光を発光するサブピクセルに対応してリア・パネルに対向した導光板の領域上に形成され、第３原色光を発光する第３原色発光粒子から成り、第１光源から射出されたエネルギー線によって励起されて第３原色光を発光する第３原色発光層、
を具備する面状光源装置とすることもできる。
【００９４】
そして、これらの変形例にあっては、限定するものではないが、
第１光源は、第１原色光としての青色の光を射出する第１発光ダイオードから成り、
第２光源は、第２原色光としての緑色の光を射出する第２発光ダイオードから成り、
第３原色は赤色であり、
第３原色発光層を構成する第３原色発光粒子を励起する第１光源から射出されたエネルギー線は、前記青色の光、あるいは、紫外線である構成とすることができる。
【００９５】
更には、光源２１，４１として、発光ダイオードの代わりに、第１原色光としての青色の光を射出する蛍光ランプあるいは半導体レーザを採用してもよい。この場合、蛍光ランプが射出する第１原色（青色）に相当する第１原色光の波長λ1として、４５０ｎｍを例示することができ、第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、半導体レーザを用いる場合、半導体レーザが射出する第１原色（青色）に相当する第１原色光の波長λ1として、４５７ｎｍを例示することができ、この場合、第２原色発光粒子に相当する緑色発光粒子は、例えばＳｒＧａ2Ｓ4：Ｅｕから成る緑色発光蛍光体粒子とすればよく、第３原色発光粒子に相当する赤色発光粒子は、例えばＣａＳ：Ｅｕから成る赤色発光蛍光体粒子とすればよい。あるいは又、光源２１，４１を、第１原色光だけでなく、紫外線（波長λUV：２５４ｎｍ）を射出する蛍光ランプから構成し、第２原色発光粒子に相当する緑色発光粒子を、ＢａＭｇＡｌ10Ｏ17：Ｅｕ，Ｍｎから成る緑色発光蛍光体粒子とし、第３原色発光粒子に相当する赤色発光粒子を、ＹＶＯ4：Ｅｕから成る赤色発光蛍光体粒子とし、光源２１，４１から射出されたエネルギー線（具体的には、この紫外線）によって、第２原色発光層（緑色発光層）及び第３原色発光層（赤色発光層）を励起することで、第２原色光及び第３原色光を発光（射出）させてもよい。尚、蛍光ランプを用いる場合、カラー液晶表示装置組立体あるいは導光板の側面に面する蛍光ランプの内壁の部分（例えば、軸線と垂直な仮想平面で切断したときの蛍光ランプの内壁の形状が円形である場合、カラー液晶表示装置組立体あるいは導光板の側面に面する、例えば半円の部分）にのみ、例えば、青色発光蛍光体粒子が塗布された蛍光ランプを用いることができる。
【図面の簡単な説明】
【００９６】
【図１】図１の（Ａ）は、実施例１のカラー液晶表示装置組立体の概念図であり、図１の（Ｂ）は、実施例２のカラー液晶表示装置組立体の概念図である。
【図２】図２の（Ａ）は、実施例３のカラー液晶表示装置組立体の概念図であり、図２の（Ｂ）は、実施例４のカラー液晶表示装置組立体の概念図である。
【図３】図３の（Ａ）は、実施例５のカラー液晶表示装置組立体の概念図であり、図３の（Ｂ）は、実施例６のカラー液晶表示装置組立体の概念図である。
【図４】図４は、実施例１あるいは実施例４のカラー液晶表示装置組立体におけるカラー液晶表示装置の模式的な一部断面図である。
【図５】図５は、実施例１あるいは実施例４のカラー液晶表示装置組立体におけるカラー液晶表示装置の変形例の模式的な一部断面図である。
【図６】図６は、実施例２あるいは実施例５のカラー液晶表示装置組立体におけるカラー液晶表示装置の変形例の模式的な一部断面図である。
【図７】図７は、実施例３あるいは実施例６のカラー液晶表示装置組立体におけるカラー液晶表示装置の模式的な一部断面図である。
【図８】図８は、実施例３あるいは実施例６のカラー液晶表示装置組立体におけるカラー液晶表示装置の変形例の模式的な一部断面図である。
【図９】図９の（Ａ）及び（Ｂ）は、従来のカラー液晶表示装置組立体の概念図である。
【符号の説明】
【００９７】
１０Ａ，１０Ｂ，１０Ｃ・・・カラー液晶表示装置、２０Ａ，２０Ｂ，４０Ａ，４０Ｂ・・・面状光源装置、２１・・・光源、２２・・・支持部材、２３・・・筐体、３０Ｒ，３１Ｒ，３２Ｒ・・・赤色発光層、３０Ｇ，３１Ｇ，３２Ｇ・・・緑色発光層、３０Ｂ，３１Ｂ，３２Ｂ・・・第１原色光通過領域、４１・・・光源、４２・・・反射部材、４３・・・拡散シート、４４・・・プリズムシート、５０・・・導光板、５１・・・導光板の第１面、５２・・・第１面における凹凸部、５３・・・導光板の第２面、５４・・・導光板の第１側面、５５・・・導光板の第２側面、５６・・・導光板の第３側面、６０・・・フロント・パネル、６１・・・第１の基板、６２，６２Ａ・・・カラーフィルター、６３・・・オーバーコート層、６４・・・透明第１電極、６５・・・配向膜、６６・・・偏光フィルム、７０・・・リア・パネル、７１・・・第２の基板、７２・・・スイッチング素子、７４・・・透明第２電極、７５・・・配向膜、７６・・・偏光フィルム、７７・・・絶縁層、７８・・・ブラック・マトリックス、７９・・・ガラス板、８０・・・液晶材料
【図１】
2007004099.tif 000003
【図２】
2007004099.tif 000004
【図３】
2007004099.tif 000005
【図４】
2007004099.tif 000006
【図５】
2007004099.tif 000007
【図６】
2007004099.tif 000008
【図７】
2007004099.tif 000009
【図８】
2007004099.tif 000010
【図９】
2007004099.tif 000011